(57)【特許請求の範囲】
【請求項１】
機械室（２）と糠室（４）と客室（６）を備えたコイン精米機において、
機械室（２）と糠室（４）とを左右方向に隣接して配置し、機械室（２）と糠室（４）の前側に客室（６）を設け、
機械室（２）内に精米機（１）を配置し、精米機（１）で発生した糠が通過する糠移送筒（７）を機械室（２）と糠室（４）を仕切る壁面を貫通して設け、
糠移送筒（７）の搬送終端部にあって、精米機（１）で発生した糠を吸引する糠ファン（３）とサイクロン（８）を糠室（４）内に配置し、糠室（４）壁面を防音構造（１０）とし、
糠室（４）に正転と逆転可能な糠ラセン（３７）を内装し、前後方向に延びる糠搬送樋（３６）をサイクロン（８）の下方に設け、
糠搬送樋（３６）の前後両端部にそれぞれ糠排出口（３６ａ，３６ｂ）を設け、前端部の糠排出口（３６ａ）を客室（６）側に設ける糠取出口（５）の上方位置に対向して設け、後端部の糠排出口（３６ｂ）を糠室（４）内の床面と対向する構成とし、
糠室（４）と機械室（２）の後部に扉（４２ａ，４２ｂ）をそれぞれ設け、該扉（４２ａ，４２ｂ）は背面視で観音扉状に構成し、
精米処理中に客室（６）側に設ける糠取出しボタン（３４）を押すと、糠ラセン（３７）は客室側に向かって搬送する構成とし、
機械室（２）と糠室（４）と客室（６）はそれぞれ独立して形成し、連結具で連結する構成とすることを特徴とするコイン精米機。
【請求項２】
機械室（２）と糠室（４）の左右位置を変更可能とすることを特徴とする請求項１記載のコイン精米機。
【発明の詳細な説明】
【技術分野】
【０００１】
本発明は、貨幣の投入量に対応する玄米をとう精（搗精）して白米に精米するコイン精米機に関する。
【背景技術】
【０００２】
食生活の向上、食文化の発展に伴い日本人の主食である米についても、美味、良質の米を選択し、栄養条件や嗜好にあわせて精米し、また精米から時間を置かずに炊飯するといった傾向も見られるようになってきた。そこで消費者自身で少量の米を簡単に精米する要求が増大し、貨幣の投入量に対応する比較的少量の米を玄米から白米に精米する、いわゆるコイン精米機が普及している。
【０００３】
コイン精米機は、利用客が持参した玄米を投入ホッパーに投入したのち、精米機内で玄米を白米に精米し、かつ糠を分離して精米された白米を利用客に提供する装置である。
【先行技術文献】
【特許文献】
【０００４】
【特許文献１】特開平１０−２１６５４１号公報
【発明の概要】
【発明が解決しようとする課題】
【０００５】
上記特許文献１記載のコイン精米機は、機械室内の装置各部の駆動音が発生するが、とりわけ精米時に糠を分離するための糠ファンの作動時に騒音が発生する。コイン精米機を人口密集地に設置する場合には、糠ファンなどから生じる騒音が住宅地域では迷惑がかかる場合がある。  
そこで本発明の課題は、防音対策を十分に施したコイン精米機を提供することである。
【課題を解決するための手段】
【０００６】
上記本発明の課題は、次の解決手段により解決される。 
すなわち、請求項１記載の発明は、機械室（２）と糠室（４）と客室（６）を備えたコイン精米機において、機械室（２）と糠室（４）とを左右方向に隣接して配置し、機械室（２）と糠室（４）の前側に客室（６）を設け、機械室（２）内に精米機（１）を配置し、精米機（１）で発生した糠が通過する糠移送筒（７）を機械室（２）と糠室（４）を仕切る壁面を貫通して設け、糠移送筒（７）の搬送終端部にあって、精米機（１）で発生した糠を吸引する糠ファン（３）とサイクロン（８）を糠室（４）内に配置し、糠室（４）壁面を防音構造（１０）とし、糠室（４）に正転と逆転可能な糠ラセン（３７）を内装し、前後方向に延びる糠搬送樋（３６）をサイクロン（８）の下方に設け、糠搬送樋（３６）の前後両端部にそれぞれ糠排出口（３６ａ，３６ｂ）を設け、前端部の糠排出口（３６ａ）を客室（６）側に設ける糠取出口（５）の上方位置に対向して設け、後端部の糠排出口（３６ｂ）を糠室（４）内の床面と対向する構成とし、糠室（４）と機械室（２）の後部に扉（４２ａ，４２ｂ）をそれぞれ設け、該扉（４２ａ，４２ｂ）は背面視で観音扉状に構成し、精米処理中に客室（６）側に設ける糠取出しボタン（３４）を押すと、糠ラセン（３７）は客室側に向かって搬送する構成とし、機械室（２）と糠室（４）と客室（６）はそれぞれ独立して形成し、連結具で連結する構成とすることを特徴とするコイン精米機とする。
【０００７】
請求項２記載の発明は、機械室（２）と糠室（４）の左右位置を変更可能とすることを特徴とする請求項１記載のコイン精米機とする。
【発明の効果】
【０００８】
請求項１記載の発明によれば、騒音の大きい糠ファン（３）を防音構造（１０）とした糠室（４）に設けることにより外部への騒音が漏れるのを低減することができる。
【０００９】
また、サイクロン（８）から糠搬送樋（３６）に設けた糠ラセン（３７）の回転方向に応じて、糠を糠室（４）内に供給して堆積させるか、糠を糠取出口（５）を通じて客室（６）内に供給することを一本のラセン（３７）で行なうことができ、構成が簡単になる。
また、利用者が糠取出しボタン（３４）を押すことで、自分の米の糠を持ち帰ることができる。コイン精米機の管理者は、メンテナンス時に機械室（２）側の扉（４２ｂ）か糠室（４）側の扉（４２ａ）のいずれか必要なほうの扉を開けて室内に入ることができる。また、両方の扉（４２ａ，４２ｂ）を開けることで同時に両方の室内の様子を確認することができる。特に背面視で観音扉状になるよう扉（４２ａ，４２ｂ）を構成することで、管理者が開閉し易くなる。
請求項２記載の発明によれば、上記請求項１記載の発明の効果に加えて、コイン精米機を人口密集地に設置する場合に糠室（４）と機械室（２）を適宜配置することができる。
【図面の簡単な説明】
【００１０】
【図１】本発明のコイン精米機の平面図である。
【図２】図１のコイン精米機の客室から見て機械室と糠室をそれぞれが左右逆に配置する構成を採用した場合の平面図（図２（ａ）、図２（ｂ））である。
【図３】図１のコイン精米機の客室に配置された操作盤のレイアウトを示す図である。
【図４】本発明の一実施例のコイン精米機の糠室内部を見た側面図である。
【図５】図１のコイン精米機の糠室内を見た側面図である。
【図６】本発明の一実施例のコイン精米機の平面図である。
【図７】本発明の一実施例のコイン精米機の正面図（図７（ａ））と側面図（図７（ｂ））である
【図８】本発明の一実施例のコイン精米機の正面図（図８（ａ））と側面から見た室内の図（図８（ｂ））である。
【図９】本発明のコイン精米機の作業工程図である。
【図１０】本発明のコイン精米機の糠室と機械室と客室を示す平面図である。
【発明を実施するための形態】
【００１１】
本発明の実施例を図面と共に説明する。  
本実施例のコイン精米機は、図１０の平面図に示すように、それぞれ独立した機械室２と糠室４と客室６とを図示しない連結具で連結して図１に示すようなコイン精米機としている。機械室２と糠室４を隣接位置に並行して配置する。なお、この実施例のコイン精米機では客室６側を前側、機械室２側及び糠室４を後側として説明する。
【００１２】
機械室２について図１と図９に基づいて説明する。  
機械室２には投入した玄米を精米処理する精米設備、いわゆるユニット型精米設備１を搭載している。ユニット型精米設備１は玄米を投入する投入ホッパ１４と、投入ホッパ１４に投入した玄米を繰出すロータリバルブ１３と、ロータリバルブ１３で繰出された玄米を揚穀する石抜用昇降機１５と、玄米に混じる石を抜く石抜機１６と、石抜機１６で石抜き処理された玄米を揚穀する精米用昇降機１８と、玄米を精米処理する精米機１９と、精米機１９で精米処理された白米を受ける白米タンク２０とを設けている。
【００１３】
糠室４について図１と図５と図９に基づいて説明する。  
糠室４は糠室４の内壁面を簡単なコンクリート型枠用合板（以下、コンパネという）１０で囲った防音構造となっており、糠室４内部には、精米機１９で精米処理して発生した糠を吸引する糠ファン３と、糠ファン３で吸引された糠と空気とを分離するサイクロン８と、サイクロン８で分離された糠を受ける糠搬送樋３６と、糠搬送樋３６内にあって糠を搬送する糠ラセン３７とを設けている。石抜用昇降機１５、石抜機１６、精米用昇降機１８及び精米機１９などがユニット型精米設備１を構成する。
【００１４】
糠搬送樋３６は客室６側との仕切壁近傍位置から糠室４後部に向かって延びる構成とし、その両端部にそれぞれ糠排出口３６ａ、３６ｂを形成している。客室６側の糠排出口３６ａは客室６側から取り出せる糠取出口５の上方位置に設け、糠取出口５には客室６側から引き出せる糠収納用ボックス４０を設けている。糠室４の後部側の糠排出口３６ｂは糠室４の床面に向かって開口する構成である。
【００１５】
精米機１９と糠ファン３とは糠移送筒７で接続しており、糠移送筒７は機械室２と糠室４の横仕切壁２ａ，４ａに形成する貫通穴２ｂ，４ｂを貫通し、糠移送筒７の終端部に糠ファン３を接続する構成である。
【００１６】
次に操作盤２１について以下説明する。  
操作盤２１にはコインを投入するコイン投入口２４、精白度を選択する精白度選択ボタン２８が設けられており、本実施の形態では精白度選択ボタン２８は上白ボタン２８ａ、標準ボタン２８ｂ、８ぶボタン２８ｃからなる。また操作盤２１にはもち米選択ボタン２７、投入コイン表示部２５、残金返却口２６、精米処理して発生した糠を利用者が持ち帰る糠取出しボタン３４が設けられている。
【００１７】
精米作業の概要について説明する。  
玄米を持参した利用者は、コイン投入口２４にコインを投入して玄米を投入ホッパ１４に投入する。そして、精白度選択ボタン２８のいずれかを選択すると、ユニット型精米設備１が駆動を開始し、投入ホッパ１４内の玄米は前述の各装置を通過して石抜処理、及び精米処理がなされ、精白米は白米タンク２０に貯留され、利用者は精白米を持ち帰る。
【００１８】
精米機１９の精米処理で発生した糠は、糠ファン３で吸引され、糠移送筒７を通過してサイクロン８から糠搬送樋３６に落下する。糠ラセン３７で糠室４の後部側に向かって搬送され、糠室４の後部側の糠排出口３６ｂから糠室４内に排出される。利用者が糠取出ボタン３４を押すと糠ラセン３７は客室６側に向かって搬送すべく逆転し、糠は客室６側の糠排出口３６ａから糠収納用ボックス４０に排出される。利用者は客室６から糠収納用ボックス４０を取り出し、自分の米の糠を持ち帰る。
【００１９】
次に、本実施の形態のコイン精米機の特徴について説明する。  
図１に示すコイン精米機では、投入ホッパ１４を客室２の左右一側に対向する位置に配置し、白米タンク２０の白米取出口を客室２の左右中央部に対向する位置に配置し、糠収納用ボックス４０を客室２の左右他側に対向する位置に配置する。操作盤２１は白米タンク２０と投入ホッパ１４との間の位置に配置する。すなわち、糠取出しと白米取出しを隣接位置にして利用者が糠と白米を取り出しやすい構成としている。
【００２０】
糠室４と機械室２はそれぞれ後側に出入り用の扉４２ａ，４２ｂを設ける。客室６にも利用者の出入り用の客室用扉１１を前側に設ける。コイン精米機の管理者は、メンテナンス時に機械室２側の扉４２ｂか糠室４側の扉４２ａのいずれか必要なほうの扉を開けて室内に入ることができる。また、両方の扉を開けることで同時に両方の室内の様子を確認することができる。特に背面視で観音式の扉状になるよう扉４２ａ，４２ｂを構成することで、管理者が開閉し易い。
【００２１】
糠室４の防音構造はコンパネ１０で囲ったものであり、このような簡単な構造で騒音がかなりの程度低減でき、また糠室４をコンパネ１０からなる防音構造で覆うことで糠室４からの糠の飛散防止に役立つ。また、糠室４の全体を防音構造とするため、機械室の入口ドア４ｂはエアータイト型とすることで防音効果を出すことができる。さらに、機械室２の内壁面をコンパネで囲ってもよい。
【００２２】
また、１つの糠ラセン３７で簡単に、しかも安価に糠の糠室４内への堆積機能と糠の持ち帰り機能を達成できる。なお、図４は糠排出口３６ａを客室６側に突出させて構成した図５の別実施例である。
【００２３】
また、図６のコイン精米機の平面図に示す実施例では、糠室４に対向側の客室６のコーナー部を切り落とした構成とし、糠室４と対向する位置に利用者の出入口用の客室用扉１１を設けたので、利用者が客室６における米の投入・取出の邪魔にならないだけでなく、またコーナー部が欠けていることでコイン精米機のスペースをコンパクトにすることができる場合がある。
【００２４】
この場合には客室６の出入口用の客室用扉１１は、片側に取り付けた蝶番１１ａを支点として開閉自在とするため、従来の引き扉式の出入口用扉に比べて安価に出入口部を構成できる。
【００２５】
また図７の正面図（図７（ａ））と側面図（図７（ｂ））に示す実施例では、客室の前側はガラス製の引き戸の客室用扉１１のある構成とし、さらに客室６の左右両側部を側壁透明ガラス４３を嵌め込んだ構成とすることで客室内部を外部から良く見えるようにしておくと、防犯上、外部からの死角のないため、利用者に安心感を与えることができる。
【００２６】
さらに客室６の前側の庇上部を透明ガラス４５の嵌め込み式の看板を配置すると、客室内部の天井に配置した照明灯４６を利用して省スペースでコイン精米機の看板を構成することができ、建屋内の照明灯４６で充分な電飾効果を出すことができ、室内の照明灯４６を使うため、省エネルギー効果もある。この照明付きの看板は、遠くの外部からの視認性は劣るが、米を持参した利用者はコイン精米機の在り場所を十分知っている場合がほとんどであり、客室内の照明灯４６の明かりだけで、容易にコイン精米機の在り場所を見出すことができる。
【００２７】
図８には、別実施例のコイン精米機の正面図（図８（ａ））と側面から見た室内の図（図８（ｂ））を示す。この例では客室の前側はガラス製の引き戸１１のある構成とし、客室前面の庇上部を看板スペースとして張り出し部４９を設け、その前面を透明ガラス４５も嵌め込み式とし、客室内部の照明灯４６を利用して電飾効果を出す構成である。建屋内の照明灯４６で看板は充分な電飾効果を出すことができ、電力も必要な室内の照明を使うため、省エネルギーとなる。また、張り出し部４９の下部には通気穴４９ａを設けているので、安価に換気効果を出すことも出来る。
【００２８】
コイン精米機における盗難防止のために、コイン精米機には、盗難検出のために（ａ）操作盤の抉じ開け、（ｂ）金庫の抉じ開け及び（ｃ）人を検知しているにも拘わらず、精米作業が行われていない場合には、それらの危険を知らせる信号をシーケンサに取り込み、出力信号を基に看板や照明灯４６を点滅させて、周囲に注意を促す構成とすることができる。
【００２９】
またコイン精米機の側壁面に看板を配置し、該看板をＬＥＤ電飾にして、上記危険を知らせる信号により、側壁面の看板を点滅させる構成にしてもよい。
【００３０】
電飾看板は目立ち、点灯は比較的遠くからでも、上記した異常があると容易に分かる。しかも警報音を小さく発する構成にすると、付近住民の苦情になりにくい。
【産業上の利用可能性】
【００３１】
ユニット型精米設備の装置各部のレイアウトを変更すれば図２のように、糠室４と機械室２の左右を変更することも可能である。
【符号の説明】
【００３２】
１  ユニット型精米設備      ２  機械室
２ａ  横仕切壁              ２ｂ  貫通穴
３  糠ファン                ４  糠室
４ａ  横仕切壁              ４ｂ  貫通穴
５  糠取出口                ６  客室
７  糠移送筒                ８  サイクロン
１０  防音壁（コンパネ）    １１  客室用扉
１３  ロータリバルブ        １４  投入ホッパ
１５  石抜用昇降機          １６  石抜機
１８  精米用昇降機          １９  精米機
２０  白米タンク            ２１  操作盤
２４  コイン投入口          ２５  投入コイン数表示部
２６  残金返却口            ２７  もち米利用ボタン
２８  精白度選択ボタン      ２８ａ  上白ボタン
２８ｂ  標準ボタン          ２８ｃ  ８ぶボタン
３４  糠取出ボタン          ３６  糠搬送樋
３６ａ  糠取出部            ３６ｂ  糠排出部
３７  糠ラセン              ４０  糠収納用ボックス
４２ａ  糠室用扉            ４２ｂ  機械室用扉
４３  側壁透明ガラス
４５  嵌め込み式の看板用透明ガラス
４６  照明灯                ４９  看板用張出部
４９ａ  通気穴
【図１】
0005493652.tif 000002
【図２】
0005493652.tif 000003
【図３】
0005493652.tif 000004
【図４】
0005493652.tif 000005
【図５】
0005493652.tif 000006
【図６】
0005493652.tif 000007
【図７】
0005493652.tif 000008
【図８】
0005493652.tif 000009
【図９】
0005493652.tif 000010
【図１０】
0005493652.tif 000011